【手続補正書】
【提出日】平成31年4月9日(2019.4.9)
【手続補正１】
【補正対象書類名】特許請求の範囲
【補正対象項目名】全文
【補正方法】変更
【補正の内容】
【特許請求の範囲】
【請求項１】
操作部へのタッチの位置を検出可能なタッチ検出手段と、
前記操作部に対するタッチの押圧力の少なくとも大小を検出可能な押圧検出手段と、
前記操作部へのタッチの位置を移動させる移動操作に応じて第一の機能を実行するように制御し、前記操作部へのタッチの押圧力に所定の変化があったことに応じて第二の機能を実行するように制御する制御手段と、を有し、
前記制御手段は、タッチの移動操作に応じて前記第一の機能を実行した後は、前記タッチの押圧力に所定の変化があったとしても前記第二の機能を実行しないように制御することを特徴とする電子機器。
【請求項２】
前記制御手段は、タッチの移動操作があった場合は、当該タッチの押圧力の所定の変化に応じて前記第二の機能を実行したか否かに関わらず、前記第一の機能を実行するように制御することを特徴とする請求項１に記載の電子機器。
【請求項３】
前記制御手段は、タッチの移動操作に応じて前記第一の機能を実行した後であっても、前記操作部から前記タッチが離された後に開始された新たなタッチについては、当該新たなタッチの押圧力に所定の変化があったことに応じて前記第二の機能を実行するように制御することを特徴とする請求項１または２に記載の電子機器。
【請求項４】
前記所定の変化は、タッチの押圧力が減少する変化であることを特徴とする請求項１乃至３のいずれか１項に記載の電子機器。
【請求項５】
前記第二の機能は、表示部に表示される表示対象の表示倍率を変更する機能であることを特徴とすることを特徴とする請求項１乃至４のいずれか１項に記載の電子機器。
【請求項６】
前記制御手段は、前記操作部へのタッチの押圧力の変化が、押圧力が増加する変化であれば前記表示対象の表示倍率を小さくするようにし、押圧力が減少する変化であれば前記表示対象の表示倍率を大きくするように制御することを特徴とする請求項５に記載の電子機器。
【請求項７】
前記制御手段は、前記操作部へのタッチの押圧力が増加し、前記表示対象の表示倍率が小さくなった場合に、前記表示対象のうち、一部の領域を示すマークを表示するように制御することを特徴とする請求項６に記載の電子機器。
【請求項８】
前記制御手段は、前記操作部へのタッチの押圧力が増加し、前記表示対象の表示倍率が小さくなった場合に、前記マークを、該押圧力が増加する前に前記表示部に表示されていた前記表示対象の領域を示す位置に表示するように制御することを特徴とする請求項７に記載の電子機器。
【請求項９】
前記第一の機能は、前記操作部へのタッチの押圧力の増加に応じた機能が実行された後に、前記タッチの移動操作を受け付けると実行される機能であり、前記表示対象のうち一部の領域を選択する機能であることを特徴とする請求項６乃至８のいずれか１項に記載の電子機器。
【請求項１０】
前記制御手段は、タッチの移動操作に応じて前記第一の機能が実行された後、前記タッチを離す操作がされたことに応じて、前記第一の機能により選択された前記表示対象の領域を拡大して表示するように制御することを特徴とする請求項９に記載の電子機器。
【請求項１１】
前記制御手段は、タッチの移動操作に応じて前記第一の機能により選択された前記表示対象の領域を、前記タッチを離す操作がされたことに応じて、前記第二の機能の実行する前の表示倍率で表示するように制御することを特徴とする請求項９または１０に記載の電子機器。
【請求項１２】
前記制御手段は、タッチの押圧力の増加に応じた機能が実行された後に、前記タッチの移動操作を受け付けたことに応じて、前記第一の機能により選択される前記表示対象のうち一部の領域を示すマークを移動せずに、前記表示対象を移動するように制御することを特徴とする請求項９乃至１１のいずれか１項に記載の電子機器。
【請求項１３】
前記制御手段は、タッチの押圧の増加に応じた機能が実行された後に、前記タッチの移動操作を受け付けたことに応じて、前記第一の機能により選択される前記表示対象のうち一部の領域を示すマークを移動し、前記表示対象を移動しないように制御することを特徴とする請求項９乃至１１のいずれか１項に記載の電子機器。
【請求項１４】
前記第一の機能は、表示対象のうちの表示部に表示される範囲を変える機能であることを特徴とする請求項１乃至８のいずれか１項に記載の電子機器。
【請求項１５】
前記第一の機能は、項目を選択する機能、パラメータを変更する機能の何れかの機能であることを特徴とする請求項１乃至８のいずれか１項に記載の電子機器。
【請求項１６】
前記第二の機能は、選択した項目を決定する機能、選択した表示対象を表示部に表示させる機能のいずれかの機能であることを特徴とする請求項１乃至４のいずれか１項に記載の電子機器。
【請求項１７】
前記第二の機能は第一の画面において受け付け可能であり、
前記第一の機能は、前記第二の機能が実行されることにより表示される第二の画面において受け付け可能であることを特徴とする請求項１乃至４のいずれか１項に記載の電子機器。
【請求項１８】
前記制御手段は、タッチの移動操作を受け付けた後に、前記タッチが離されることなく当該タッチの押圧力に所定の変化があったとしても、前記押圧力の変化が所定の大きさよりも小さい変化であれば、前記第二の機能を実行せず、前記押圧力の変化が前記所定の大きさ以上の変化であれば、前記第二の機能を実行するように制御することを特徴とする請求項１乃至３のいずれか１項に記載の電子機器。
【請求項１９】
前記表示対象は、再生画像、地図、テキスト、Ｗｅｂページ、文書、表の何れかを含むことを特徴とする請求項５乃至１３のいずれか１項に記載の電子機器。
【請求項２０】
タッチの押圧力の大きさの変化が閾値を超えた場合に、前記所定の変化があったものとすることを特徴とする請求項１乃至１９のいずれか１項に記載の電子機器。
【請求項２１】
前記操作部は、表示部の表示面であることを特徴とする請求項１乃至２０のいずれか１項に記載の電子機器。
【請求項２２】
操作部へのタッチの位置を検出可能なタッチ検出ステップと、
前記操作部に対するタッチの押圧力の少なくとも大小を検出可能な押圧検出ステップと、
前記操作部へのタッチの位置を移動させる移動操作を受け付けたことに応じて第一の機能を実行するように制御し、前記操作部へのタッチの押圧力に所定の変化があったことに応じて第二の機能を実行するように制御する制御ステップであって、
タッチの移動操作に応じて前記第一の機能を実行した後は、前記タッチの押圧力に所定の変化があったとしても前記第二の機能を実行しないように制御する制御ステップとを有することを特徴とする電子機器の制御方法。
【請求項２３】
コンピュータを、請求項１乃至２１のいずれか１項に記載された電子機器の各手段として機能させるためのプログラム。
【手続補正２】
【補正対象書類名】明細書
【補正対象項目名】０００８
【補正方法】変更
【補正の内容】
【０００８】
上記目的を達成するために、本発明の電子機器は、操作部へのタッチの位置を検出可能なタッチ検出手段と、操作部に対するタッチの押圧力の少なくとも大小を検出可能な押圧検出手段と、操作部へのタッチの位置を移動させる移動操作に応じて第一の機能を実行するように制御し、操作部へのタッチの押圧力に所定の変化があったことに応じて第二の機能を実行するように制御する制御手段と、を有し、制御手段は、タッチの移動操作に応じて第一の機能を実行した後は、タッチの押圧力に所定の変化があったとしても第二の機能を実行しないように制御することを特徴とする。